(57)【要約】【課題】貯蔵物を出し入れする際に係止部材と干渉することを防ぐ。【解決手段】係止部材３１は２段のクランク状をなし、本体１０の前面の下縁部に設けられたブラケット３５の下面に蝶番３７を介して取り付けられ、係止部３３が下に来た垂下姿勢を取って本体１０の底面側に回り込む退避位置と、起立して係止部３３が閉じられた扉の下縁部の前面に突出して係止する係止位置との間で水平軸回りの回動可能に支持され、付勢ばね３８で常には退避位置へ回動付勢される。係止部材３１には、キー操作によりブラケット３５との間で掛止して係止部材３１を係止位置にロックし、またロック解除が可能なキーロック部材４１が設けられる。扉の開放時、係止部材３１は本体１０の底面側に退避しているから、牛乳瓶Ｂ入りのケースＣが冷蔵室１２に出し入れされる際に、係止部材３１と干渉することが無く、また作業者が足等をぶつけることも回避される。【選択図】  図３
2004309036.tif 000002
【特許請求の範囲】
【請求項１】
貯蔵庫本体の前面に形成された出入口には開閉可能な扉が設けられた貯蔵庫において、
貯蔵庫本体の前面の下縁部には、前記扉に係止するための係止部材が、起立して前記扉の前面に突出する係止位置と、垂下して前記貯蔵庫本体の底面側に退避する退避位置との間で水平軸回りの回動可能に支持されるとともに、キー操作により前記係止部材を前記起立位置にロックしまたその解除が可能なロック機構が設けられていることを特徴とする貯蔵庫。
【請求項２】
前記係止部材を前記退避位置側に回動付勢する付勢手段が設けられていることを特徴とする請求項１記載の貯蔵庫。
【請求項３】
前記係止部材における前記扉の前面に係止する面には弾性部材が張設されていることを特徴とする請求項１または請求項２記載の貯蔵庫。
【請求項４】
前記係止部材は、前記係止位置にある場合において、前記扉の前面に係止可能であることに加えて、前記扉の下面を受け可能となっていることを特徴とする請求項１ないし請求項３のいずれかに記載の貯蔵庫。
【発明の詳細な説明】
【０００１】
【発明の属する技術分野】
本発明は、扉の施錠機構を備えた貯蔵庫に関する。
【０００２】
【従来の技術】
例えば、学校の給食に供される牛乳を保管するための冷蔵庫には、保管物の重量が大きく、また取り扱う人も主に小学生であることから、背の低い、いわゆる横型冷蔵庫が使用される（例えば、特許文献１参照）。
これは、図６及び図７に示すように、前面に開口した横長の断熱箱体からなる冷蔵庫本体１の側方に、冷凍ユニット等を収容した機械室２が設けられ、本体１内が冷蔵室３となって容器入り牛乳が収容可能とされるとともに、前面の出入口４に観音開き式の断熱扉５が装着された構造となっている。
【０００３】
一方、この種の冷蔵庫では、扉５が不必要に開放されないように施錠機構が備えられている。従来その一例としては、図７に示すように、出入口４の下側の口縁から突設された支持腕６の先端に、キー操作によって起立姿勢と、横向きの姿勢とに回動される係止部材７が設けられた構造であって、係止部材７を起立位置（図６の実線）に回動することで扉５の下端部の前面に係止して閉扉状態にロックし、係止部材７を横向きの位置（同図の鎖線）に回動することで、ロックを解除して開扉できるようになっている。
【０００４】
【特許文献１】
実開昭６３−１３９４８７号公報
【０００５】
【発明が解決しようとする課題】
しかるに従来のものでは、係止部材７が出入口４の下側の口縁から前方に突出した状態で配されているため、例えば図７の鎖線に示すように、牛乳瓶Ｂの入ったケースＣを出入口４から取り出す際に手を滑らせる等で落とした場合に、係止部材７にぶつかり、これを損傷させるおそれがあった。
また、係止部材７が出入口４の手前に大きく飛び出しているのであるから、牛乳瓶ＢのケースＣを出し入れする際に、作業者が足をぶつけやすいという問題があった。
本発明は上記のような不具合を除去すべく完成されたものである。
【０００６】
【課題を解決するための手段】
請求項１の発明は、貯蔵庫本体の前面に形成された出入口には開閉可能な扉が設けられた貯蔵庫において、貯蔵庫本体の前面の下縁部には、前記扉に係止するための係止部材が、起立して前記扉の前面に突出する係止位置と、垂下して前記貯蔵庫本体の底面側に退避する退避位置との間で水平軸回りの回動可能に支持されるとともに、キー操作により前記係止部材を前記起立位置にロックしまたその解除が可能なロック機構が設けられている構成としたところに特徴を有する。
【０００７】
請求項２の発明は、請求項１に記載のものにおいて、前記係止部材を前記退避位置側に回動付勢する付勢手段が設けられているところに特徴を有する。
請求項３の発明は、請求項１または請求項２に記載のものにおいて、前記係止部材における前記扉の前面に係止する面には弾性部材が張設されているところに特徴を有する。
請求項４の発明は、請求項１ないし請求項３のいずれかに記載のものにおいて、前記係止部材は、前記係止位置にある場合において、前記扉の前面に係止可能であることに加えて、前記扉の下面を受け可能となっているところに特徴を有する。
【０００８】
【発明の作用及び効果】
＜請求項１の発明＞
扉を閉めたのち、係止部材を起立位置に回動してキー操作によりロックすると、扉が係止部材で係止されてその開放が阻止される。キー操作によりロックを解除して、係止部材を退避位置に回動すると、扉に対する係止が解除されて開放可能となる。
係止部材が退避位置に回動したときには、貯蔵庫本体の底面側に回り込んだ状態となるから、例えば貯蔵物を庫内に出し入れする際に、出入口の下縁付近で手を滑らせて落としたり、出入口の下縁にぶつけるような状態となっても、係止部材と干渉することが避けられ、その損傷を未然に防止できる。また、貯蔵物を出し入れする際に、係止部材に対して作業者が足をぶつける事態が生ずることも防止できる。
【０００９】
＜請求項２の発明＞
ロック機構のロックを解除すると、係止部材は自動的に退避位置に回動される。係止部材の不使用時には確実に退避位置に退避させておくことができる。
＜請求項３の発明＞
係止部材における扉への係止面に弾性部材が張られていることにより、扉に傷を付けるおそれがない。
＜請求項４の発明＞
施錠された場合、係止部材が扉の前面に係止することに加えて、扉の下面を受ける構造となっているから、貯蔵庫を輸送する途中で振動等を受けても、扉が位置ずれすることが防止できる。
【００１０】
【発明の実施の形態】
以下、本発明の一実施形態を図１ないし図５に基づいて説明する。
この実施形態では、学校の給食等に供される牛乳を一時保管することに用いる冷蔵庫を例示している。
この冷蔵庫は横型冷蔵庫と称されるもので、図１に示すように、前面に開口した横長の断熱箱体からなる冷蔵庫本体１０を有し、底面に設けた脚１１で支持されている。本体１０の内部は冷蔵室１２（図３）となっており、牛乳瓶ＢがケースＣに入れられて、前面の出入口１３から出し入れされて収容され、出入口１３には一対の断熱扉１５が観音開き式に装着されている。
【００１１】
扉１５の支持構造は、図２にも示すように、出入口１３の左右の側縁にそれぞれ上下一対のヒンジプレート１７が取り付けられ、上側のヒンジプレート１７からはヒンジピン１８が下向きに、下側のヒンジプレート１７からはヒンジピン１８が上向きに同軸に立てられている。一方、扉１５の回動軸側の上下両端面には軸受孔１９が開口され、上下の軸受孔１９に対応するヒンジピン１８が嵌合されることで、扉１５は自由端側に設けられたハンドル２１に手を掛けつつ、ヒンジピン１８を中心として回動し、開閉されるようになっている。なお、扉１５の裏面の周縁には、出入口１３の口縁に当接するパッキン２２が装着されている。
【００１２】
冷蔵庫本体１０の側方には機械室２５が設けられ、その内部に冷凍装置等が収容されており、冷却器で生成された冷気が冷蔵室１２内に循環供給されることで、冷蔵室１２内が冷却されるようになっている。ただし、学校給食に供される牛乳を一時保管するという目的から、ウィークリタイマの作用によって、平日（月曜日から金曜日）の７時から１３時までは３℃で冷蔵運転を行い、平日の１３時から翌朝の７時までと、土、日曜日の終日は、節電と、かびの発生防止を目的として、１５℃で保冷運転を行うようになっている。
【００１３】
さてこの実施形態では、両扉１５が不必要に開放されないための施錠機構３０が備えられている。
そのため、図３ないし図５に示すように、幅広でかつ２段階のクランク状をなす金属板製の係止部材３１を備えている。より詳細には、係止部材３１の基部側クランク（図３の上側）が取付部３２と、先端側クランクが係止部３３となっている。一方、冷蔵庫本体１０の前面の下縁角部には、幅方向の中央位置において、箱形をなすブラケット３５が取り付けられている。
【００１４】
そして、図３に示すように、係止部材３１が係止部３３を下に向けて裏返しとなった姿勢で、ブラケット３５の奥側に配され、ブラケット３５の下面と、係止部材３１の取付部３２における横部３２Ｂの裏面とが、左右一対の蝶番３７によって連結されている。
したがって係止部材３１は、蝶番３７を中心とし、図３に示すように、裏返しとなって係止部３３が下を向いて垂下した姿勢と、図４に示すように、表向きとなって係止部３３が上を向いて起立した姿勢との間で回動可能となっている。
【００１５】
図３に示すように、係止部材３１が垂下姿勢を取ったところが退避位置であって、この退避位置では係止部材３１は、冷蔵庫本体１０の底面側で、かつ前面よりも奥に引っ込んだ位置に退避し得るようになっている。なお、上記した蝶番３７には、ねじりコイルばねからなる付勢ばね３８が装着されており、その弾力により、係止部材３１は常には退避位置へ回動付勢されている。
一方、図４に示すように、係止部材３１が起立姿勢を取ったところが係止位置であって、この係止位置では、係止部３３における縦部３３Ａが、閉じられた両扉１５における突き合わされた端縁側の下端位置の前面にわたって突出し、これを係止可能となっている。この係止部３３の縦部３３Ａの裏面には、ゴムパッド３９が貼られている。また、係止部３３の横部３３Ｂが、両扉１５における突き合わされた端縁側の下面を受けることが可能となっている。
【００１６】
また、係止部材３１を上記の係止位置に保持するロック機構が装備されている。係止部材３１における取付部３２の縦部３２Ａには、キーロック部材４１が取り付けられている。このキーロック部材４１は、表面側から差し込まれたキー４２の開位置と閉位置への回動操作によって、裏面側に配された掛止片４３が縦向きと横向きとに９０度回動されるものである。
一方、上記したブラケット３５の表面における幅方向の中央位置には、縦向きとなった掛止片４３を裏面側に挿通可能な縦孔４５が開口されている。
【００１７】
すなわち、係止部材３１が退避位置にあるときには、キー４２が開操作されて掛止片４３が縦向きの姿勢を採っており、この状態から係止部材３１が係止位置に起こされると、掛止片４３が縦孔４５を通ってブラケット３５内に入り、この状態でキー４２を閉操作すると、掛止片４３が９０度回動して横向きの姿勢を採り、縦孔４５の裏面側の口縁に抜け止め状に掛止し、すなわち係止部材３１が係止位置にロックされるようになっている。
【００１８】
本実施形態の作用及び効果は以下のようである。
閉扉状態に施錠する場合は、両扉１５を閉じたのち、退避位置にあった係止部材３１を付勢ばね３８の弾力に抗して図４に示す係止位置に起こす。これに伴い係止部３３が、両扉１５の突き合わせ端縁側における下縁前側の角部に当てられ、より詳細には、縦部３３Ａの裏面のゴムパッド３９が扉１５の角の前面に当てられて係止し、また横部３３Ｂが扉１５の下面を受ける。それとともにキーロック部材４１の掛止片４３がブラケット３５の表面の縦孔４５を通ってその裏側に入るので（図５の鎖線参照）、キー４２を差し込んで閉位置に向けて図５の時計回り方向に９０度回動すると、掛止片４３が同図の実線に示すように横向きとなって縦孔４５の裏面側の口縁に抜け止め状に掛止し、係止部材３１が係止位置にロックされる。すなわち、閉扉状態に施錠されて扉１５が不必要に開けられることが防止される。
【００１９】
牛乳を出し入れすべく開扉する場合は、図４に示す状態からキー４２を差し込んで開位置に回動すると、図５の鎖線に示すように掛止片４３が縦向きとなって縦孔４５と整合することで掛止が解除され、係止部材３１は、付勢ばね３８の付勢力を受けて、図３に示す退避位置に回動する。これにより扉１５の施錠が解除されるから、扉１５を開放したのち、牛乳瓶Ｂを入れたケースＣを冷蔵室１２から出し、または新たなものを冷蔵室１２に収容すればよい。
【００２０】
牛乳瓶Ｂ入りのケースＣを冷蔵室１２に収容する際、重量が大きいことから、ともすればケースＣを出入口１３の下縁に当てる可能性があるが、係止部材３１は冷蔵庫本体１０の底面側に退避しているから、ブラケット３５に当たることはあっても係止部材３１と干渉することは避けられ、その損傷を未然に防止することができる。また、ケースＣを取り出す際に手を滑らせる等で落とした場合にも、係止部材３１と干渉することが避けられる。しかも係止部材３１は、ロックを解除すれば自動的に退避位置に持ち来されるから、わざわざ退避位置へ回動する操作が不要であって便利であり、かつ上記したケースＣとの干渉回避を確実に図ることができる。
また、開扉して牛乳の出し入れ等の作業をする場合、出入口１３の前面に出っ張るのはブラケット３５のみで、言い換えると前面への出っ張りが小さく抑えられるから、作業者が足等をぶつけることも回避される。
【００２１】
一方、係止部材３１を係止位置にロックした場合、すなわち扉１５を施錠した場合、扉１５の前面に当たって係止する係止部３３の縦部３３Ａにはゴムパッド３９が貼られているから、扉１５の前面に傷を付けるおそれがない。
施錠した場合、係止部材３１における係止部３３の横部３３Ｂが両扉１５の下面を併せて受ける構造となっているから、例えば冷蔵庫を輸送する途中や設置作業中に振動等を受けても、扉１５が位置ずれする、例えば左右の扉１５に段差できる等を防止することが可能となる。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）係止部材を退避位置に回動付勢する付勢手段を設けることなく、自重により、あるいは作業者の手作業で退避位置に回動させるようにしてもよく、そのようなものも本発明の技術的範囲に含まれる。
（２）扉の施錠をすることは、貯蔵物がある場合はもちろん、貯蔵物が無くても、使用者である小学生等が遊び半分で庫内に入り込むことを防止する上からも有効である。
【００２３】
（３）上記実施形態では、出入口の下縁の床からの高さや操作性等を考慮して、ロック機構の一部も兼ねたブラケットが出入口の下縁の前面から一部を突出させて設けられた構造となっているが、これを冷蔵庫本体の底面側に設けて、開扉時において施錠機構に係るすべての部材が冷蔵庫本体の前面に出ないようにすることも可能である。
（４）本発明は横型冷蔵庫に限らず他の型式の冷却貯蔵庫全般に適用可能であり、さらには、扉を装着した貯蔵庫全般に広く適用することができる。
【図面の簡単な説明】
【図１】本発明の一実施形態に係る冷蔵庫の斜視図
【図２】その部分拡大側面図
【図３】施錠機構のロックが解除された状態の部分断面図
【図４】施錠機構がロックされた状態の部分断面図
【図５】施錠機構の配設部分の一部切欠正面図
【図６】従来例に係る冷蔵庫の正面図
【図７】その施錠機構の配設部分を示す断面図
【符号の説明】
１０…冷蔵庫本体（貯蔵庫本体）  １２…冷蔵室  １３…出入口  １５…扉  ３０…施錠機構  ３１…係止部材  ３２…取付部  ３２Ａ…（取付部３２の）縦部  ３２Ｂ…（取付部３２の）横部  ３３…係止部  ３３Ａ…（係止部３３の）縦部  ３３Ｂ…（係止部３３の）横部  ３５…ブラケット  ３７…蝶番  ３８…付勢ばね（付勢手段）  ３９…ゴムパッド（弾性部材）  ４１…キーロック部材（ロック機構）  ４２…キー  ４３…掛止片  ４５…縦孔  Ｂ…牛乳瓶  Ｃ…ケース
【図１】
2004309036.tif 000003
【図２】
2004309036.tif 000004
【図３】
2004309036.tif 000005
【図４】
2004309036.tif 000006
【図５】
2004309036.tif 000007
【図６】
2004309036.tif 000008
【図７】
2004309036.tif 000009